【手続補正書】
【提出日】平成18年6月19日(2006.6.19)
【手続補正１】
【補正対象書類名】明細書
【補正対象項目名】発明の名称
【補正方法】変更
【補正の内容】
【発明の名称】現像装置及びプロセスカートリッジ
【手続補正２】
【補正対象書類名】明細書
【補正対象項目名】特許請求の範囲
【補正方法】変更
【補正の内容】
【特許請求の範囲】
【請求項１】  像担持体に対向し、現像剤を担持搬送する現像剤担持体を有し、像担持体と現像剤担持体との間の対向部において、現像剤担持体から像担持体へ現像剤を飛翔させて像担持体上に形成された静電像を現像する現像装置において、
像担持体と現像剤担持体との間で、前記像担持体移動方向において上流側から延びて設けられ、可撓性を備える板状部材を有し、この板状部材は、現像剤担持体と非接触に設けられ、現像剤担持体の表面の形状と同じ凸方向に撓んで像担持体と当接し、板状部材と像担持体との当接部および板状部材の先端部は実質的な現像領域内にあることを特徴とする現像装置。
【請求項２】  像担持体が無い時の板状部材と現像剤担持体との最近接距離が像担持体と現像剤担持体の最近接距離より大きくなるように、板状部材は設けられることを特徴とする請求項１記載の現像装置。
【請求項３】  板状部材の面と像担持体とが当接することを特徴とする請求項１又は２記載の現像装置。
【請求項４】 板状部材の先端部と像担持体とが当接することを特徴とする請求項１又は２記載の現像装置。
【請求項５】 前記板状部材は、絶縁性部材であることを特徴とする請求項１乃至４のいずれか記載の現像装置。
【請求項６】 前記板状部材は、電気的にフロートの部材を備えることを特徴とする請求項１乃至４のいずれか記載の現像装置。
【請求項７】  像担持体と、請求項１乃至６のいずれか記載の現像装置を具備したことを特徴とするプロセスカートリッジ。
【手続補正３】
【補正対象書類名】明細書
【補正対象項目名】０００１
【補正方法】変更
【補正の内容】
【０００１】
【発明の属する技術分野】
本発明は、モノクロプリンタ、カラープリンタ、ファクシミリまたは複写機等、電子写真方式や静電記録方式の画像形成装置に好ましく用いられる現像装置に関する。更には１成分または２成分の現像剤を用いて静電潜像を非接触で現像を行う現像装置及びこの現像装置を有するプロセスカートリッジに関する。
【手続補正４】
【補正対象書類名】明細書
【補正対象項目名】０００４
【補正方法】変更
【補正の内容】
【０００４】
【発明が解決しようとする課題】
上記、特許文献１、２、３では高温高湿環境下等、板状部材の表面抵抗が下がる状況では現像剤担持体に印加したバイアスが像担持体にリークすることがあった。
【手続補正５】
【補正対象書類名】明細書
【補正対象項目名】０００５
【補正方法】変更
【補正の内容】
【０００５】
本発明の目的は、上記問題点を軽減し、板状部材を像担持体と現像剤担持体の間に挿入した場合にも板状部材の沿面リークを抑制できる現像装置及びプロセスカートリッジを提供することである。
【手続補正６】
【補正対象書類名】明細書
【補正対象項目名】０００６
【補正方法】変更
【補正の内容】
【０００６】
本発明の他の目的は、現像剤担持体から像担持体への現像剤の飛翔を適正にした現像装置及びプロセスカートリッジを提供することである。
【手続補正７】
【補正対象書類名】明細書
【補正対象項目名】０００７
【補正方法】変更
【補正の内容】
【０００７】
本発明の他の目的は、現像剤担持体から像担持体への現像剤の飛翔領域を規制した現像装置及びプロセスカートリッジを提供することである。
【手続補正８】
【補正対象書類名】明細書
【補正対象項目名】０００８
【補正方法】変更
【補正の内容】
【０００８】
【課題を解決するための手段】
本発明は、像担持体に対向し、現像剤を担持搬送する現像剤担持体を有し、像担持体と現像剤担持体との間の対向部において、現像剤担持体から像担持体へ現像剤を飛翔させて像担持体上に形成された静電像を現像する現像装置において、像担持体と現像剤担持体との間で、前記像担持体移動方向において上流側から延びて設けられ、可撓性を備える板状部材を有し、この板状部材は、現像剤担持体と非接触に設けられ、現像剤担持体の表面の形状と同じ凸方向に撓んで像担持体と当接し、板状部材と像担持体との当接部および板状部材の先端部は実質的な現像領域内にあることを特徴とする現像装置である。
【手続補正９】
【補正対象書類名】明細書
【補正対象項目名】０００９
【補正方法】削除
【補正の内容】
【手続補正１０】
【補正対象書類名】明細書
【補正対象項目名】００１０
【補正方法】変更
【補正の内容】
【００１０】
【発明の実施の形態】
図１は本発明の現像装置を説明する断面図である。１は像担持体である感光ドラムであり、光導電体を塗布した金属円筒で構成される。感光ドラム１上には不図示の潜像形成手段で静電潜像が形成される。感光ドラム１には現像装置が対向して配置される。現像装置は現像剤であるトナーＴを収容した現像容器８を有する。本例ではトナー７は非磁性１成分、かつ負帯電性であり、イエロー・マゼンタ・シアン・ブラック等の色素を有する顔料または染料を含有している。
【手続補正１１】
【補正対象書類名】明細書
【補正対象項目名】００１６
【補正方法】変更
【補正の内容】
【００１６】
現像ローラ５と感光ドラム１との間には現像剤が飛翔する領域を規制して制御する板状部材である飛翔制御板１０が配置されている。飛翔制御板１０の材質は電気的には高抵抗であるものが好ましく更には絶縁性に優れる物が特に好ましい。体積抵抗としては１０４Ωｃｍ以上より好ましくは１０９Ωｃｍ以上であり、可撓性を有する物が好ましく、ポリウレタン、ポリスチレン、ポリエチレン、ポリプロピレン、ＰＶＣ、アクリル系樹脂、スチレン−酢酸ビニル共重合体等の高分子材料を厚み１０〜５００μｍ程度のシート状にしたものを用いることができる。
【手続補正１２】
【補正対象書類名】明細書
【補正対象項目名】００３２
【補正方法】変更
【補正の内容】
【００３２】
感光ドラムの回転方向に対して上流側から飛翔制御板１０が挿入されれば、飛翔制御板の効果は現像ローラ５の回転方向に因らないが本例では感光ドラムは図中の矢印の方向に回転しており、対向部近傍で感光ドラムと同方向に移動するように現像ローラは回転している。
【手続補正１３】
【補正対象書類名】明細書
【補正対象項目名】００３４
【補正方法】変更
【補正の内容】
【００３４】
点線２７は感光ドラム１を取り外した時の飛翔制御板の位置であり、ほぼ直線であり飛翔制御板の先端は感光ドラム１を取り外さない時の感光ドラムの周面の位置に対して侵入するように配置され、かつ現像ローラとは触れないように配置されている。また矢印１９間で示された点線２７と感光ドラムとの最近接距離は９００μｍとし、ＳＤ間隔（３００μｍ）より大きくされている。
【手続補正１４】
【補正対象書類名】明細書
【補正対象項目名】００６３
【補正方法】変更
【補正の内容】
【００６３】
（他の実施形態）
図９は上記実施例に述べた画像形成部を有するプロセスカートリッジを説明する断面図である。２は帯電ローラであり、感光ドラム１に当接して従動回転し、画像形成時には感光ドラムを均一に帯電する役割を担う。
【手続補正１５】
【補正対象書類名】明細書
【補正対象項目名】００７４
【補正方法】変更
【補正の内容】
【００７４】
また実施例３の構成は板状部材と像担持体との当接部が像担持体と現像剤担持体との最近接部より像担持体回動方向上流側にあって、板状部材と現像剤担持体の最近接距離は像担持体と現像剤担持体の最近接距離より大きい構成である。現像領域の上流側に飛翔制御板と感光ドラムの当接部を配置し、飛翔制御板とＳＤ間隔コロの外周がなす線とが交わらない構成とすることで比較例３と比較してトナー偏りを防止する効果を維持しつつ、現像ローラから飛翔制御板にはリークしないため、飛翔制御板が無いときと同等の耐リーク性を達成することができる。
【手続補正１６】
【補正対象書類名】明細書
【補正対象項目名】００７６
【補正方法】変更
【補正の内容】
【００７６】
先端位置は現像領域内にあれば現像剤の偏りを防止する効果と現像性を両立でき、現像領域の中心に限定されない。飛翔制御板の自由長は特に限定されないが、十分な可撓性を得るためには１ｍｍ以上あることが好ましく、先端の位置精度を良くするために５０ｍｍ以下であることが好ましい。また感光ドラムが無い時の飛翔制御板の先端と感光ドラムがある時の感光ドラム表面との距離、すなわちドラムへの侵入量は飛翔制御板先端にうねりがあっても全面に接触できるようにするために１０μｍ以上であることが好ましく、１００μｍ以上であることがより好ましい。また飛翔制御板の先端めくれが発生しないように侵入量は感光体の現像部での曲率半径（上記例では１５ｍｍ）より小さいことが好ましく、更にスジ画像を防止するために５ｍｍ以下であることがより好ましい。また飛翔制御板の台座は現像装置側に固定されていることが位置精度の観点からより好ましいが、感光ドラム側もしくは本体に支持部材を設けても構わない。
【手続補正１７】
【補正対象書類名】明細書
【補正対象項目名】００８１
【補正方法】変更
【補正の内容】
【００８１】
また、本発明は、板状部材は、現像剤担持体と非接触に設けられ、現像剤担持体の表面の形状と同じ凸方向に撓んで像担持体と当接し、板状部材と像担持体との当接部および板状部材の先端部は実質的な現像領域内にあることにより、板状部材と現像剤担持体との最近接距離を増やすことが可能となり、現像剤担持体から感光ドラムへのリークを防止することができる。
【手続補正１８】
【補正対象書類名】明細書
【補正対象項目名】００８２
【補正方法】変更
【補正の内容】
【００８２】
さらに、本発明は、板状部材と像担持体との当接部は像担持体と現像剤担持体との最近接部より像担持体の回動方向の上流側にあり、像担持体が無い時の板状部材と現像剤担持体の最近接距離は像担持体と現像剤担持体の最近接距離より大きいことにより、飛翔制御板にリークが発生することを防止することができる。